(57)【要約】【課題】いったん魚を誘って釣針が上昇してタナが浅くなっても、再び元の深さのタナ取りを確実に行える設定タナ保持可能な中通し浮きを提供する。【解決手段】浮き本体１２を縦方向に貫通する通し孔１４を有し、該通し孔１４を通係させた状態で浮き本体１２から釣針側のタナを設定する中通し浮き１０であり、所要のタナ位置で浮き１０と道糸Ｌとの係合位置１９を保持するとともに、通し孔の入口５２から道糸手元側に抜け出る方向ｙに強い引張力で牽引することにより係合位置１９での係合を解除して、通し孔の入口５２から道糸手元側２４に抜け出させる設定タナ位置保持装置２０を有する中通し浮きとする。【選択図】図５
0003117538.tif 000002
【実用新案登録請求の範囲】
【請求項１】
浮き本体を縦方向に貫通する通し孔を有し、該通し孔を通係させた状態で浮き本体から釣針側のタナを設定する中通し浮きであり、
所要のタナ位置で浮きと道糸との係合位置を保持するとともに、通し孔の入口から道糸手元側に抜け出る方向に強い引張力で牽引することにより係合位置での係合を解除して、通し孔の入口から道糸手元側に抜け出させる設定タナ位置保持装置を有することを特徴とする中通し浮き。
【請求項２】
設定タナ位置保持装置が、通し孔の入口から出口側へは道糸が円滑に進入して出口部分で止まる一方、入口から道糸手元側に抜け出る方向には強い引張力でのみしか道糸が通過困難な不完全一方向通過機構を含むことを特徴とする請求項１記載の中通し浮き。
【請求項３】
設定タナ位置保持装置は、通し孔の入口側であって、道糸に取り付けたタナ取りストッパ部材が自由に通過しうる大きさに設定された通し孔の入口孔と、
通し孔の出口側であって、該タナ取りストッパ部材が通過できない大きさの出口孔と、を含むことを特徴とする請求項１または２記載の中通し浮き。
【請求項４】
不完全一方向通過機構は、中通し浮きの入口と出口との中間位置に取り付けられ、入口孔の径と同じかそれ以下の孔径となるように孔の内周壁に設けられた掛かり部材を含むことを特徴とする請求項２または３記載の中通し浮き。
【請求項５】
掛かり部材は、中通し浮きの入口と出口との中間位置に形成した大径部に取り付けられ、大径壁から孔の中心部側に向けて多数のブラシ状突片を突設させた内向き突片群からなることを特徴とする請求項２または４記載の中通し浮き。
【請求項６】
入口孔及び又は出口孔は道糸の通係を円滑に行わせるためのパイプ部材で形成されていることを特徴とする請求項１ないし５のいずれかに記載の中通し浮き。
【考案の詳細な説明】
【技術分野】
【０００１】
本考案は、浮き本体を縦方向に貫通する通し孔を有する中通し浮きに関する。
【背景技術】
【０００２】
従来、釣りの際に道糸に結び付けて、例えば魚信を捕らえ、またそのためのタナを取るための道具として浮きは盛んに用いられている。この種の浮きに関してこれまでも様々な提案がなされており、例えば、特許文献１に開示されている中通し浮きがある。特許文献１の中通し浮きによれば、同公報図面の図１ないし図３に示すように、略卵型の浮き本体１１と、浮き本体１１の軸線方向に貫通した中通し孔１５を有し、該中通し孔１５は軸線方向の両端に小径部１５ａ、１５ａと、軸線方向の中間に大径部１５ｂと、を有して形成され、全誘導釣りのみならず、浮き止めを取り付けた釣り方をすることもできるものである。
【特許文献１】実用新案登録第３０７０５６１号公報
【考案の開示】
【考案が解決しようとする課題】
【０００３】
釣り糸に、例えば、浮き止めＫ並びにしもりＭ、ガン玉、ハリス等の仕掛けを取り付け、特許文献１の中通し浮きＦを用いて通常の釣りをする場合について、図１０ないし図１３に基づいて説明するとともに考案が解決しようとする課題を明らかにする。先ず、これらの仕掛けを、例えば海面ＳＬに投入すると、図１０に示すように、釣り糸が中通し孔を通って海中へと滑り落ちていく。そして、図１１に示すように、しもりＭが中通し浮きＦに当接するところで釣り糸の滑落が止まり、浮きＦから釣針までの深さがいわゆる「タナ」と称され、釣果に大きな影響を与える。つぎに、これらの仕掛けは、図１２に示すように、例えば潮流に乗って流れて行くので、その流れと同様な速さで手元のリール等から糸出しをしながら所定のタナを確保しつつ魚信を待つ。その際、魚は単に潮流に乗って水平方向に流れている餌より、上下動のある餌に食いつきやすいという性質を利用するために、誘いをいれる。誘いをいれる際には、具体的には例えば糸出しをいったん止め、しばらくして再び始める操作を行う。この場合、糸出しをいったん止めると浮きＦは潮流に乗り釣り糸をスライドするので、浮きから釣針までの長さ、すなわちタナ長が短くなり釣針が上昇し、タナは浅くなる。
【０００４】
一方、大型魚の釣果を得たい場合には、仕掛けを手元から例えば５０ｍ程度離れた遠方位置まで流すことが多い。したがって、竿から浮きまでの距離が長くなるのでその間の釣り糸の全長に亘って手元側で制御することが困難となり、図１２に示すように、浮きとその近傍の釣り糸が一体的に海面に浮遊した状態で流れる。よって、このような状態で糸出しをしても遠方位置である浮き近辺の釣り糸の細かな動きを手元でコントロールすることが困難なため、図１３に示すように、しもりＭと浮きＦの間が離れたままで釣り糸が流れてしまい、釣針が再び下降することなく所要のタナがとれないという問題があった。この問題を回避するため、例えば、浮きを釣り糸の所望位置で固定した場合には、魚信があって釣り糸を巻き戻してもリールの巻き戻しでは浮きの部分までしか巻き戻せないので、残りの長さは手作業で釣り糸を手繰り寄せるしかなく、特に大型魚の場合には、タナ長も２０ないし３０ｍ程度と長いので、上述した残りの釣り糸も長くなり、手作業で引き上げている間に魚を逃がしてしまうという問題があった。
【０００５】
本考案は、上記従来の課題に鑑みてなされたものであり、その目的は、いったん魚を誘って釣針が上昇してタナが浅くなっても、再び元の深さのタナ取りを確実に行える設定タナ保持可能な中通し浮きを提供することにある。
【課題を解決するための手段】
【０００６】
上記の目的を達成するために、本考案は、浮き本体１２を縦方向に貫通する通し孔１４を有し、該通し孔１４を通係させた状態で浮き本体１２から釣針側のタナを設定する中通し浮き１０、６０であり、所要のタナ位置で浮き１０、６０と道糸Ｌとの係合位置１９を保持するとともに、通し孔の入口５２から道糸手元側に抜け出る方向ｙに強い引張力で牽引することにより係合位置１９での係合を解除して、通し孔の入口５２から道糸手元側２４に抜け出させる設定タナ位置保持装置２０を有する構成としている。その際、設定タナ位置保持装置２０が、通し孔の入口５２から出口５４側へは道糸Ｌが円滑に進入して出口５４部分で止まる一方、入口５２から道糸手元側２４に抜け出る方向ｙには強い引張力でのみしか道糸が通過困難な不完全一方向通過機構１６を含んでいてもよい。
【０００７】
また、設定タナ位置保持装置２０は、通し孔の入口５２側であって、道糸Ｌに取り付けたタナ取りストッパ部材１８が自由に通過しうる大きさに設定された通し孔の入口孔３８と、通し孔の出口５４側であって、該タナ取りストッパ部材１８が通過できない大きさの出口孔４０と、を含んでいてもよい。また、不完全一方向通過機構１６は、中通し浮きの入口５２と出口５４との中間位置に取り付けられ、入口孔の径ＩＲと同じかそれ以下の孔径となるように孔の内周壁２８に設けられた掛かり部材３０を含んでいてもよい。
【０００８】
また、掛かり部材３０は、中通し浮きの入口５２と出口５４との中間位置に形成した大径部３２に取り付けられ、大径壁４４から孔の中心部側に向けて多数のブラシ状突片３４を突設させた内向き突片群３６からなっていてもよい。さらに、入口孔３８及び又は出口孔４０は道糸Ｌの通係を円滑に行わせるためのパイプ部材４２ａ、４２ｂで形成されていてもよい。
【考案の効果】
【０００９】
本考案の中通し浮きによれば、浮き本体を縦方向に貫通する通し孔を有し、該通し孔を通係させた状態で浮き本体から釣針側のタナを設定する中通し浮きであり、所要のタナ位置で浮きと道糸との係合位置を保持するとともに、通し孔の入口から道糸手元側に抜け出る方向に強い引張力で牽引することにより係合位置での係合を解除して、通し孔の入口から道糸手元側に抜け出させる設定タナ位置保持装置を有する構成であるから、仕掛けを海に投入すれば道糸は通し孔を通過し所要のタナ位置になったところで浮きとの係合位置を半固定状態として保持するので、例えば、仕掛けを手元から遠方位置まで流して釣る浮き流し釣りの場合に、浮きのみが海水の流れとともに流されて浮きの道糸上での位置（道糸Ｌと浮きとの係合位置）を変えることなく、同じタナ長を確実に維持できる。さらに、例えば、魚信があった場合には、強く道糸を引っ張ることで道糸が浮きの入口から手元側へと抜け出るので、釣針近傍まで釣り糸をリールを用いて迅速に巻き戻すことができる。
【００１０】
また、設定タナ位置保持装置が、通し孔の入口から出口側へは道糸が円滑に進入して出口部分で止まる一方、入口から道糸手元側に抜け出る方向には強い引張力でのみしか道糸が通過困難な不完全一方向通過機構を含む構成であるから、仕掛けを海に投入すれば道糸が通し孔を円滑に通過し所要のタナ位置を迅速にとりつつ、例えば、上述した浮き流し釣りの際に誘いを入れても、同じ浮き下の長さを確実に維持できるとともに、例えば、魚信があった場合には、強く道糸を引っ張ることで道糸が浮きの入口から手元側へと抜け出て釣針近傍まで釣り糸をリールを用いて迅速に巻き戻すことができる中通し浮きを実効化できる。
【００１１】
また、設定タナ位置保持装置は、通し孔の入口側であって、道糸に取り付けたタナ取りストッパ部材が自由に通過しうる大きさに設定された通し孔の入口孔と、通し孔の出口側であって、該タナ取りストッパ部材が通過できない大きさの出口孔と、を含む構成であるから、例えば、仕掛けを海に投入すれば、該ストッパ部材は通し孔の入口から通し孔の内部に円滑に進入し、出口孔で移動が規制されるので、道糸の所望の位置に該タナ取りストッパ部材を取り付けるだけで、所要のタナをとることができるとともに、道糸を巻き戻す際にも該タナ取りストッパ部材は通し孔を円滑に抜けて道糸を迅速に巻き戻すことができる。
【００１２】
また、不完全一方向通過機構は、中通し浮きの入口と出口との中間位置に取り付けられ、入口孔径と同じかそれ以下の孔径となるように孔の内周壁に設けられた掛かり部材を含む構成であるから、道糸が入口から引き抜かれる方向に抜け出ようとする際に、例えば、上述したタナ取りストッパ部材を該掛かり部材に掛からせることで、糸出しを止めても道糸は浮きの入口から手元側へと抜けて出ることはなく、常時同じ浮き下の長さを確実に維持できる。
【００１３】
また、掛かり部材は、中通し浮きの入口と出口との中間位置に形成した大径部に取り付けられ、大径壁から孔の中心部側に向けて多数のブラシ状突片を突設させた内向き突片群からなる構成であるから、例えば、道糸が入口から手元方向に引き抜かれる際に上述したタナ取りストッパ部材が該突片群に係合して道糸の引き抜きを防止するとともに、強く道糸を引っ張ることでタナ取りストッパ部材と該突片群との係合を解くことができる。したがって、例えば、仕掛けを手元から遠方位置まで流し、浮き近傍の道糸が海面に浮遊している状態で糸出しを止めても、道糸は浮きの入口から手元側へと抜けて出ることはなく、同じ浮き下の長さを確実に維持できるとともに、例えば、魚信があった場合には、強く道糸を引っ張ることで道糸が浮きの入口から手元側へと抜け出るので、リールを用いて釣針近傍まで釣り糸を迅速に巻き戻すことができる中通し浮きを具体化できる。
【００１４】
また、入口孔及び又は出口孔は道糸の通係を円滑に行わせるためのパイプ部材で形成されている構成であるから、道糸の通し孔の入口から出口側への進入ならびに出口から入口側への引き抜きを円滑に行わせることができるので、仕掛けを海面に投入後は迅速にタナ取りが可能とするとともに道糸の巻き戻しも迅速に行うことができる中通し浮きを具体化できる。また、パイプ部材が損傷した場合でも、該パイプ部材のみを交換すれば同じ浮き本体を継続して使用可能となり、維持費の低減を図れる。
【考案を実施するための最良の形態】
【００１５】
以下、添付図面を参照しつつ本考案を実施するための最良の形態について説明する。本考案の中通し浮きは、例えば、仕掛けを手元から遠方位置まで流して浮き近傍の道糸が海面に浮遊している状態で誘いをかけても、浮きが道糸の所定の位置から移動せずに同じタナ取りを確実に維持する一方、強く道糸を引っ張ることで道糸が浮きの入口から道糸手元側（釣竿側）へと抜け出て、釣針近傍まで釣り糸をリールを用いて迅速に巻き戻すことができるものである。釣竿本実施形態の中通し浮き１０は、浮き本体１２と、通し孔１４と、設定タナ位置保持装置２０と、を含む。
【００１６】
本実施形態において、浮き本体１２は、海面に浮くことが可能な浮力体であり、道糸Ｌに挿通されて海面近傍に浮遊し、浮き下の道糸や釣針、ガン玉等を保持する。本実施形態において、浮き本体１２は、図１ないし図４に示すように、例えば略卵型の外径形状で形成される。そして、その縦軸方向に貫通する通し孔１４（後述）が形成されている。本実施形態において、浮き本体１２は、略卵型形状の木材の表面に合成樹脂のコーティングをして形成されるが、無垢の合成樹脂を略卵型として形成してもよい。また、外径形状も略卵型に限るものではなく、例えば、紡錘形、円錐形等であってもよい。
【００１７】
なお、本実施形態において、道糸Ｌには、浮き１０から釣針までの長さを所望の長さに調整するためのタナ取りストッパ部材１８が取り付けられている。本実施形態において、タナ取りストッパ部材１８は、例えば、道糸Ｌの所望の位置に布糸や化学繊維製等の糸（例えば、浮き止め糸）を１ないし２ｍｍ程度の大きさの径を有する小片となるように数回巻きつけて例えば接着剤等で固めて形成される。このようにして形成されたタナ取りストッパ部材１８は、ある程度の力で移動させれば道糸Ｌをスライドするので、該ストッパ部材１８から釣針までの道糸長（タナ長）を自在に調整できる。そして、該ストッパ部材１８は、いったん中通し浮き１０の通し孔１４に進入すれば、図５、６に示すように、後述する出口孔４０から出て行かない一方、引き抜き方向ｙに関しては後述する掛かり部材３０に係合し、強い引張力でなければ該係合を解除できない。したがって、該ストッパ部材１８の道糸Ｌ上の取り付け位置を浮き１０と道糸Ｌとの係合位置１９とすることができる。タナ取りストッパ部材は、本実施形態の浮き止め糸によるものに限らず、請求項１のような動きが可能な位置調整部材を道糸Ｌの所望の位置に取り付けて形成してもよい。
【００１８】
本実施形態において、通し孔１４は、浮き本体１２の縦軸に沿って道糸Ｌが通過する貫通孔であり、入口孔３８と、大径部３２と、出口孔４０と、を含む。本実施形態において、入口孔３８は、道糸Ｌならびに後述するタナ取りストッパ部材１８を通し孔１４に導入する孔である。入口孔３８の形状は、図３に示すように、例えば、１ないし２ｍｍ程度の径の該タナ取りストッパ部材１８が自由に通過できる２ないし３ｍｍ程度の径と、浮き本体１２の縦軸の略半分程度の長さを有する細長孔を、その入口端で断面視ハ字状になだらかに拡径（図２、３）して形成される。そして、浮き本体１２の縦軸に沿ってその入口側に、浮き本体１２を開孔して設けられている。したがって、タナ取りストッパ部材１８ならびに道糸Ｌは、該拡径された入口端を経て円滑に入口孔３８を通過しうる。
【００１９】
本実施形態において、大径部３２は、後述する内向き突片群３６からなる掛かり部材３０を設置する部位であり、図３、５に示すように、大径部３２ならびに大径部３２から後述する出口孔４０の小径部２６に至る空間が該ストッパ部材１８を保持する保持空間５６を形成する。大径部３２は、図３に示すように、該入り口孔径ＩＲの例えば略２倍程度の径と、浮き本体１２の縦軸の略１／３程度の長さを有する孔で形成される。そして、浮き本体の縦軸に沿って、該入口孔３８の出口端で入口孔３８に連続する孔として浮き本体１２を開孔して設けられている。したがって、通し孔１４は、図３に示すように、入口孔３８と大径部３２との径の相違により、段部４８を有して形成される。そして、大径部３２は、該段部４８の近傍に後述する掛かり部材３０を形成する内向き突片群３６を備えている。
【００２０】
本実施形態において、出口孔４０は、例えば、仕掛けを投入後に海底へと滑降してゆく道糸Ｌが通し孔１４から出てくる部位である。出口孔４０は、図３に示すように、上述した大径部３２に連続する孔であって、該大径部３２の長さと略同じ長さと、その長さ方向の中間にタナ取りストッパ部材１８が通過できない、例えば該ストッパ部材１８の径よりやや小さい径の小径部２６を形成する断面視く字状のくびれ部５０を有した孔で形成される。そして、浮き本体１２の縦軸に沿って、該大径部３２の出口端で該大径部３２に連続する孔として浮き本体１２を開孔して設けられている。したがって、例えば、仕掛けを投入後に道糸Ｌは出口孔４０から海底へと滑降して行くが、道糸Ｌの途中に取り付けたタナ取りストッパ部材１８が該小径部２６に当接して道糸Ｌの滑降を規制し所要のタナ長を得ることができる。本実施形態において、小径部２６は断面視く字状にくびれて形成されるが、例えばＳ字状にくびれていてもよい。なお、通し孔１４は、例えば、内密の浮き本体を縦に半割りし、それぞれの割り面に、通し孔１４を形成する凹部を設けて、再び割り面どうしを接着させることでも形成できる。
【００２１】
本実施形態において、設定タナ位置保持装置２０は、所要のタナ位置で浮きと道糸との係合位置１９を保持するとともに、通し孔の入口５２から道糸手元側に抜け出る方向ｙに強い引張力で牽引することにより係合位置１９での係合を解除して、通し孔の入口５２から道糸手元側２４に抜け出させるものであり、不完全一方向通過機構１６と、入口孔３８と、出口孔４０と、を含む。ここで、入口孔１８と、出口孔４０とは上述したものと同じなのでその説明は省略する。本実施形態において、不完全一方向通過機構１６は、通し孔１４の入口５２から出口５４側へは道糸Ｌが円滑に進入する一方、入口５２から道糸手元側２４に抜け出る方向ｙ（図５）には強い引張力でのみしか道糸通過を困難とする機構であり、中通し浮き１０の入口５２と出口５４との中間位置に取り付けられた掛かり部材３０を含む。より具体的には、掛かり部材３０は、内向き突片群３６からなる。
【００２２】
本実施形態において、内向き突片群３６は、多数のブラシ状突片３４をリング部材４６に取り付けて形成される。リング部材４６の形状は、図３、４に示すように、薄肉厚で、上述した大径部３２の大径壁４４と同じ径と、該径と略同じ長さの幅を有する環帯状に形成される。そして、図３に示すように、上述した段部４８に当接し大径壁４４に内接固定している。本実施形態において、ブラシ状突片３４は、例えば市販の歯ブラシの毛と略同じ径で、該段部４８の段高さと略同じ長さの、可撓性のある針状短部材で形成される。そして、図３、４に示すように、多数のブラシ状突片３４の先端側を、上述した大径壁４４から通し孔１４の軸中心に向けて突出させ、基端側を該リング部材４６の内壁に固定してリング部材４６と一体に設けている。すなわち、該多数のブラシ状突片３４の先端で囲まれる孔径は、図３、４に示すように、入口孔径ＩＲよりわずかに大きな径大きさかあるいは該入口孔径ＩＲと同じかさらにはそれ以下の孔径となるように形成される。したがって、仕掛けを海面に投入すれば、該ストッパ部材１８は道糸と一緒に入口孔３８を通過し、該ブラシ状突片３４の先端を撓ませつつ内向き突片群３６を通過して、保持空間５６に格納されるとともに、誘いをかけるために糸出しを止めても該ストッパ部材１８は複数のブラシ状突片３４に掛合して道糸Ｌが浮きから引き出されることなく所要のタナ取りを維持することができる。さらに、強い引張力で道糸を引っ張れば、該ストッパ部材１８は該ブラシ状突片３４を押し分けるようにして内向き突片群３６を引き抜き方向ｙに通過し、入口孔３８から引き出せる。ブラシ状突片３４は、本実施形態におけるものよりさらに細い針状短部材を繊毛状に設けて形成してもよい。
【００２３】
次に、本実施形態の釣り用浮きの作用について図１ないし図９に基づいて説明する。まず、例えば、タナ取りストッパ部材１８を取り付けた道糸Ｌを中通し浮き１０の通し孔１４を通し、道糸Ｌの先端側に釣針やガン玉等を取り付けたハリスを結びつける。次に、これらの仕掛けを海に投入すれば、図７に示すように、道糸Ｌはその先端側に取り付けた、例えば、釣針やガン玉等の自重によって下降し、中通し浮き１０の通し孔１４を通過して海中に滑降する。その際、タナ取りストッパ部材１８は道糸と一緒に通し孔１４を通過してゆくが、入口孔径ＩＲは該タナ取りストッパ部材１８が自由に通過しうる大きさに設定されているので円滑に入口孔３８を通過する。次に、該ストッパ部材１８は内向き突片群３６を通過する。その際、該ストッパ部材１８は内向き突片群３６を形成する複数のブラシ状突片３４の先端部分に沿うように通過するが、ブラシ状突片３４は可撓性のある針状短部材で形成されているので、該複数のブラシ状突片３４の先端部分に該ストッパ部材１８が接触しても該ブラシ状突片３４の先端を撓ませて内向き突片群３６を容易に通過できる。次に、該ストッパ部材１８は、入口孔３８より大きい径の大径部３２を容易に通過し、出口孔４０に設けられた小径部２６で通過が規制され（図６）、図８に示すように、所要のタナをとることができる。次に、仕掛けを手元から遠方位置まで流すと、図８に示すように、中通し浮き１０近傍の道糸Ｌも中通し浮きと一体に海面に浮遊して流れる。この状態で誘いを入れるために糸出しを止めると、図５に示すように、中通し浮き１０だけが流れて該ストッパ部材１８は内向き突片群３６に係合し、道糸は浮きの入口から道糸手元側ｙへと抜けて出ることはない。したがって、図９に示すように、糸出しを止めることで道糸の釣針側がいったん浮き上がっても、例えば、再び糸出しを始める等によって釣針側が降下し、再び同じタナを確実に維持できる（図９）。一方、例えば、魚信があった場合には、強く道糸Ｌを引っ張ることで、該ストッパ部材１８と内向き突片群との係合が解けて、道糸Ｌが浮きの入口から道糸Ｌ手元側ｙへと抜け出るので、釣針近傍まで道糸Ｌをリールを用いて迅速に巻き戻すことができる。以上のように、本考案の中通し浮き１０によれば、設定タナ位置保持装置を介して、所要のタナ位置で浮き１０と道糸Ｌとの係合位置１９を保持するとともに、通し孔の入口５２から道糸手元側に抜け出る方向ｙに強い引張力で牽引することにより係合位置１９での係合を解除して、通し孔の入口５２から道糸手元側２４に抜け出させることが可能な中通し浮きを提供できる。
【００２４】
次に、本考案の中通し浮きの第２の実施形態について図１４、図１５に基づいて説明するが、第１実施形態と同一部材には同一の符号を付し、その詳細な説明は省略する。本実施形態における中通し浮き６０の第１実施形態との相違点は、図１５に示すように、入口孔３９と出口孔４１がパイプ部材４２ａ、４２ｂで形成され、浮き本体２２の縦軸に沿って貫通する軸貫通孔５８に嵌合されている点である。具体的には、図１５に示すように、パイプ部材４２ａはその内側が第１実施形態における入口孔３８と同じ形状で形成され、パイプ部材４２ｂはその内側が第１実施形態における出口孔４０と同じ形状で形成された、例えば合成樹脂製のパイプ部材である。したがって、道糸Ｌが通過する際の摩擦を軽減でき、中通し浮き６０の寿命を伸ばすことができるとともに、該パイプ部材４２ａ、４２ｂに、例えば、道糸Ｌで磨耗したり釣針等で傷が入った場合でも、該パイプ部材だけを交換して浮き本体を再利用できるので、長期にわたって同じ浮き本体を使用可能となる。なお、本実施形態のように、該パイプ部材４２ａは、図１５に示すように、その入口側と反対側に第１実施形態で説明した内向き突片群３６を、該パイプ部材４２ａと一体に設けていてもよい。
【００２５】
以上のように、本考案の中通しうきによれば、仕掛けを海に投入後所要のタナをとりつつ、例えば、仕掛けを手元から遠方位置まで流して釣る浮き流し釣りの場合に、浮きのみが海水の流れとともに流されて浮きの道糸上での位置（道糸Ｌと浮きとの係合位置）を変えることなく、同じタナを確実に維持できるとともに、例えば、魚信があった場合には、強く道糸を引っ張ることで道糸が浮きの入口から手元側へと抜け出るので、釣針近傍まで釣り糸をリールを用いて迅速に巻き戻すことができる中通し浮きを提供できる。
【００２６】
以上説明した本考案の釣り用浮きは、上記した実施形態のみに限定されるものではなく、実用新案登録請求の範囲に記載した本考案の本質を逸脱しない範囲において、任意の改変を行ってもよい。
【産業上の利用可能性】
【００２７】
本考案の釣り用浮きは、専門の釣師のみならず一般の釣り愛好家にいたるまで幅広く用いることができる。
【図面の簡単な説明】
【００２８】
【図１】本考案の第１実施形態に係る中通し浮きの側面図である。
【図２】図１の平面図である。
【図３】図２のＡ−Ａ線端面図である。
【図４】図１のＢ−Ｂ線断面図である。
【図５】本考案の第１実施形態に係る中通し浮きで誘いをかけた状態を説明する断面図である。
【図６】本考案の第１実施形態に係る中通し浮きによるタナ取りを説明する断面図である。
【図７】本考案の第１実施形態に係る中通し浮きを海に投入した状態を説明する概略説明図である。
【図８】本考案の第１実施形態に係る中通し浮きによる浮き流し釣りを説明する概略説明図である。
【図９】本考案の第１実施形態に係る中通し浮きで誘いを入れた状態を説明する概略説明図である。
【図１０】従来の浮きを海に投入した状態を説明する概略説明図である。
【図１１】従来の浮きによるタナ取りを説明する概略説明図である
【図１２】従来の浮きで糸出しを止めた状態を説明する概略説明図である
【図１３】従来の浮きでタナが浅くなった状態を説明する概略説明図である
【図１４】本考案の第２実施形態に係る中通し浮きの平面図である。
【図１５】図１４のＡ−Ａ線端面図である。
【符号の説明】
【００２９】
１０、６０、  中通し浮き
１２  浮き本体
１４  通し孔
１６  不完全一方向通過機構
１８  タナ取りストッパ部材
１９  係合位置
２０  設定タナ位置保持装置
２４  道糸手元側
２８  内周壁
３０  掛かり部材
３２  大径部
３４  ブラシ状突片
３６  内向き突片群
３８  入口孔
４０  出口孔
４２ａ、４２ｂ  パイプ部材
４４  大径壁
５２  入口
５４  出口
Ｌ  道糸
ｙ  引き抜き方向
ＩＲ  入口孔径
【図１】
0003117538.tif 000003
【図２】
0003117538.tif 000004
【図３】
0003117538.tif 000005
【図４】
0003117538.tif 000006
【図５】
0003117538.tif 000007
【図６】
0003117538.tif 000008
【図７】
0003117538.tif 000009
【図８】
0003117538.tif 000010
【図９】
0003117538.tif 000011
【図１０】
0003117538.tif 000012
【図１１】
0003117538.tif 000013
【図１２】
0003117538.tif 000014
【図１３】
0003117538.tif 000015
【図１４】
0003117538.tif 000016
【図１５】
0003117538.tif 000017